(57)【要約】【課題】運転負荷に応じた読上げを行うように制御する。【解決手段】読上げ制御装置（ＥＣＵ２０）は、車両の運転者に対して着信メッセージを読上げる音声を出力する読上げ装置（スピーカ３０）の作動状態を制御するものであり、許可手段２２ａおよび継続中断手段２２ｂを備える。許可手段２２ａは、運転者にとっての運転負荷が所定未満である低負荷状態であることを条件に、読上げ装置による音声出力の開始を許可する。継続中断手段２２ｂは、音声出力の最中に低負荷状態から非低負荷状態に変化した場合に、着信メッセージの最適箇所まで音声出力を継続させ、その後に音声出力を中断する。【選択図】図１
2018163351.tif 000002
【特許請求の範囲】
【請求項１】
車両の運転者に対して着信メッセージを読上げる音声を出力する読上げ装置の、作動状態を制御する読上げ制御装置（２０）において、
前記運転者にとっての運転負荷が所定未満である低負荷状態であることを条件に、前記読上げ装置による音声出力の開始を許可する許可手段（２２ａ）と、
前記音声出力の最中に前記低負荷状態から、前記運転負荷が所定以上である非低負荷状態に変化した場合に、前記着信メッセージの最適箇所まで前記音声出力を継続させ、その後に前記音声出力を中断する継続中断手段（２２ｂ）と、
を備えることを特徴とする読上げ制御装置。
【請求項２】
前記非低負荷状態のうち、運転負荷が所定度合い以上の状態を高負荷状態とし、所定度合い未満の状態を中負荷状態とした場合において、
前記継続中断手段は、前記音声出力の最中に前記低負荷状態から前記中負荷状態に変化した場合に前記継続および前記中断を実行し、
前記音声出力の最中に前記低負荷状態から前記高負荷状態に変化した場合には、前記継続を実施することなく、前記高負荷状態に変化した時点で強制的に前記音声出力を中断させる強制中断手段（２２ｃ）を備えることを特徴とする請求項１に記載の読上げ制御装置。
【請求項３】
前記継続中断手段または前記強制中断手段による中断を実施した後、前記非低負荷状態から前記低負荷状態に変化して中断していた読上げを再開する場合に、前記着信メッセージのうち中断箇所よりも戻った箇所から再開することを特徴とする請求項２に記載の読上げ制御装置。
【請求項４】
前記強制中断手段による中断を実施した後、前記高負荷状態から前記低負荷状態に変化して中断していた読上げを再開する場合には、前記着信メッセージのうち中断箇所よりも戻った箇所から再開し、
前記継続中断手段による中断を実施した後、前記中負荷状態から前記低負荷状態に変化して中断していた読上げを再開する場合には、前記中断箇所から再開することを特徴とする請求項２に記載の読上げ制御装置。
【請求項５】
前記継続中断手段または前記強制中断手段による中断が所定時間以上継続したことを条件として、前記着信メッセージに対して所定のメッセージを自動返信する自動返信手段（２２ｄ）を備えることを特徴とする請求項２〜４のいずれか１つに記載の読上げ制御装置。
【請求項６】
前記自動返信手段は、前記着信メッセージの送信元が許可された送信元であることを条件として前記自動返信を行うことを特徴とする請求項５に記載の読上げ制御装置。
【請求項７】
前記許可手段による前記許可の条件には、前記着信メッセージが場所、時間または緊急性に関する内容である、といった条件も含まれていることを特徴とする請求項１〜６のいずれか１つに記載の読上げ制御装置。
【請求項８】
前記許可手段による許可の条件には、前記着信メッセージの送信元が許可された送信元である、といった条件も含まれていることを特徴とする請求項１〜７のいずれか１つに記載の読上げ制御装置。
【請求項９】
前記許可手段による前記許可の条件には、前記運転者以外の同乗者が前記車両に存在していない、といった条件も含まれていることを特徴とする請求項１〜８のいずれか１つに記載の読上げ制御装置。
【請求項１０】
未読の前記着信メッセージが複数存在する場合に、前記着信メッセージの内容または送信元に基づき前記読上げ装置による読上げの順番を決定する読上げ順決定手段（２２ｅ）を備えることを特徴とする請求項１〜９のいずれか１つに記載の読上げ制御装置。
【請求項１１】
車両の運転者によるハンズフリー通話を可能にしたハンズフリー通話装置の、作動状態を制御する通話制御装置（２００）において、
前記運転者にとっての運転負荷が所定未満である低負荷状態であることを条件に、前記ハンズフリー通話装置による通話を許可する許可手段（２２０ａ）と、
前記運転負荷が所定以上である非低負荷状態のうち、前記運転負荷が所定度合い以上の状態を高負荷状態、所定度合い未満の状態を中負荷状態と呼ぶ場合において、前記通話の最中に前記低負荷状態から前記高負荷状態に変化した場合に、前記通話を保留状態にする通話保留手段（２２０ｂ）と、
前記通話の最中に前記低負荷状態から前記中負荷状態に変化した場合に、前記通話を保留にすることなく継続可能にしつつ、前記中負荷状態で前記通話を実施することに対して注意喚起する注意喚起手段（２２０ｃ）と、
を備えることを特徴とする通話制御装置。
【請求項１２】
前記許可手段による許可の条件には、前記通話の相手端末が許可された端末である、といった条件も含まれていることを特徴とする請求項１１に記載の通話制御装置。
【請求項１３】
前記許可手段による前記許可の条件には、前記運転者以外の同乗者が前記車両に存在していない、といった条件も含まれていることを特徴とする請求項１１または１２に記載の通話制御装置。
【請求項１４】
前記通話保留手段による前記保留状態が所定時間以上継続したことを条件として、所定音を自動返信する保留時自動返信手段（２２０ｄ）を備えることを特徴とする請求項１１〜１３のいずれか１つに記載の通話制御装置。
【請求項１５】
前記保留時自動返信手段は、前記通話の相手端末が許可された端末であることを条件として前記自動返信を行うことを特徴とする請求項１４に記載の通話制御装置。
【発明の詳細な説明】
【技術分野】
【０００１】
本発明は、車両の運転者に対して着信メッセージを読上げる読上げ装置を制御する読上げ制御装置、またはハンズフリー通話装置を制御する通話制御装置に関する。
【背景技術】
【０００２】
近年では、ヒューマンマシンインターフェイス（ＨＭＩ）として、特許文献１に記載の読上げ装置や、特許文献２に記載のハンズフリー通話装置の開発が進んでいる。読上げ装置とは、着信メールのテキストデータを音声データに変換して出力する装置であり、この装置によれば、運転者はハンズフリーで着信メールの内容を把握できる。ハンズフリー通話装置とは、通話相手の音声をスピーカで出力するとともに運転者の音声をマイクで検出する装置であり、この装置によれば、運転者はハンズフリーで車外の相手と通話できる。
【先行技術文献】
【特許文献】
【０００３】
【特許文献１】特開２００５−２２２４１０号公報
【特許文献２】特開２０１３−１６８８４５号公報
【発明の概要】
【発明が解決しようとする課題】
【０００４】
しかしながら、ＥＴＣゲート（ＥＴＣは登録商標）通過時や、カーブ走行時、分岐路運転時等、運転者にとっての運転負荷が高い時には、運転に対する高い集中力が要求されるので、上述したハンズフリーによる通話や読上げを行うことは望ましくない。
【０００５】
本発明は、上記問題を鑑みてなされたもので、その目的は、運転負荷に応じた読上げを行うように制御する読上げ制御装置を提供することにある。また、本発明の他の目的は、運転負荷に応じたハンズフリー通話を行うように制御する通話制御装置を提供することにある。
【課題を解決するための手段】
【０００６】
ここに開示される発明は上記目的を達成するために以下の技術的手段を採用する。なお、特許請求の範囲およびこの項に記載した括弧内の符号は、後述する実施形態に記載の具体的手段との対応関係を示すものであって、発明の技術的範囲を限定するものではない。
【０００７】
開示される発明のひとつは、車両の運転者に対して着信メッセージを読上げる音声を出力する読上げ装置の、作動状態を制御する読上げ制御装置（２０）である。そして、この読上げ制御装置は、運転者にとっての運転負荷が所定未満である低負荷状態であることを条件に、読上げ装置による音声出力の開始を許可する許可手段（２２ａ）と、音声出力の最中に低負荷状態から、運転負荷が所定以上である非低負荷状態に変化した場合に、着信メッセージの最適箇所まで音声出力を継続させ、その後に音声出力を中断する継続中断手段（２２ｂ）と、を備えることを特徴とする。
【０００８】
この発明によれば、運転負荷が低負荷状態であることを条件に、読上げ装置による音声出力の開始を許可するので、運転負荷が低くない時（非低負荷状態時）に着信メッセージを読上げることが回避される。よって、運転に対する高い集中力が要求される時に、読上げにより集中力を低下させてしまうおそれを低減できる。
【０００９】
さらに上記発明によれば、低負荷状態時に音声出力を開始した後、その音声出力の最中に非低負荷状態に変化した場合に、直ぐに音声出力を中断するのではなく、着信メッセージの最適箇所まで音声出力を継続させた後に中断する。そのため、例えば最適箇所を句読点や絵文字、記号等の箇所に設定することにより、読上げ途中で中断することによる利便性低下を抑制できる。
【００１０】
開示される発明のひとつは、車両の運転者によるハンズフリー通話を可能にしたハンズフリー通話装置の、作動状態を制御する通話制御装置（２００）である。そして、この通話制御装置は、運転者にとっての運転負荷が所定未満である低負荷状態であることを条件に、ハンズフリー通話装置による通話を許可する許可手段（２２０ａ）と、運転負荷が所定以上である非低負荷状態のうち、運転負荷が所定度合い以上の状態を高負荷状態、所定度合い未満の状態を中負荷状態と呼ぶ場合において、通話の最中に低負荷状態から高負荷状態に変化した場合に、通話を保留状態にする通話保留手段（２２０ｂ）と、通話の最中に低負荷状態から中負荷状態に変化した場合に、通話を保留にすることなく継続可能にしつつ、中負荷状態で通話を実施することに対して注意喚起する注意喚起手段（２２０ｃ）と、を備えることを特徴とする。
【００１１】
この発明によれば、運転負荷が低負荷状態であることを条件に、ハンズフリー通話を許可するので、運転負荷が低くない時（非低負荷状態時）にハンズフリー通話することが回避される。よって、運転に対する高い集中力が要求される時に、通話により集中力を低下させてしまうおそれを低減できる。
【００１２】
さらに上記発明によれば、低負荷状態時にハンズフリー通話を開始した後、その通話の最中に高負荷状態に変化した場合には通話を保留状態にする一方で、中負荷状態に変化した場合には通話を保留にすることなく継続可能にしつつ注意喚起する。そのため、ハンズフリー通話の最中に高負荷状態に変化した場合には運転に対する集中力の低下を抑制できる。それでいて、中負荷状態に変化した場合には、通話を継続可能にしつつ注意喚起するので、切りの良いタイミングで通話を中断したり、直ぐに通話を中断したり、そのまま通話を継続したりする等、通話状態を運転者の判断に委ねることができる。よって、中負荷状態に変化した場合には、通話途中で強制的に保留することによる利便性低下を抑制できる。
【図面の簡単な説明】
【００１３】
【図１】本発明の第１実施形態に係る読上げ装置、および読上げ制御装置を示すブロック図。
【図２】第１実施形態において、読上げ途中で中負荷に変化した場合の制御の一態様を示すタイムチャート。
【図３】第１実施形態において、読上げ途中で高負荷に変化した場合の制御の一態様を示すタイムチャート。
【図４】第１実施形態において、マイコンが読上げフラグをオンに設定する手順を示すフローチャート。
【図５】第１実施形態において、マイコンによる読上げ制御の手順を示すフローチャート。
【図６】本発明の第２実施形態に係るハンズフリー通話装置、および通話制御装置を示すブロック図。
【図７】第２実施形態において、通話途中で中負荷に変化した場合の制御の一態様を示すタイムチャート。
【図８】第２実施形態において、通話途中で高負荷に変化した場合の制御の一態様を示すタイムチャート。
【図９】第２実施形態において、マイコンが通話フラグをオンに設定する手順を示すフローチャート。
【図１０】第２実施形態において、マイコンによる通話制御の手順を示すフローチャート。
【発明を実施するための形態】
【００１４】
以下、図面を参照しながら発明を実施するための複数の形態を説明する。各形態において、先行する形態で説明した事項に対応する部分には同一の参照符号を付して重複する説明を省略する場合がある。各形態において、構成の一部のみを説明している場合は、構成の他の部分については先行して説明した他の形態を参照し適用することができる。
【００１５】
（第１実施形態）
図１に示すように、携帯端末１０が車室内に持ち込まれた車両１には、電子制御装置（ＥＣＵ２０）、スピーカ３０、マイク３１、表示器３２、着座センサ３３、および他の電子制御装置（他のＥＣＵ３４）が搭載されている。携帯端末１０は、車両１の外部に設置されている基地局２を通じて、通信端末３と通信可能である。基地局２は、インターネット回線または電話回線により通信可能に接続するものである。換言すれば、携帯端末１０および通信端末３は、インターネット回線または電話回線により無線通信する機能を有している。
【００１６】
スピーカ３０は、音声や楽曲、報知音等の音を車両乗員に対して出力する。マイク３１は、車両の運転者が発した音声を検出して電気信号に変換する。表示器３２は、インストルメントパネルに取り付けられ、車両乗員に対して各種情報を表示する。着座センサ３３は、車両の座席に乗員が着座しているか否かを検出するセンサである。他のＥＣＵ３４は、車両１に搭載された内燃機関または走行モータ等の作動を制御するものであり、車両の運転状態を表した車両情報をＥＣＵ２０へ送信する。車両情報の具体例としては、車両の走行速度、走行加速度、操舵角度、方向指示機の作動情報、走行している道路の情報、等が挙げられる。
【００１７】
ＥＣＵ２０は、通信処理回路２１、マイクロコンピュータ（マイコン２２）、音声出力処理回路２３、音声入力処理回路２４、表示出力処理回路２５および外部メモリ２６等を有する。通信処理回路２１は、車室内に持ち込まれた携帯端末１０と無線通信するインターフェイス回路である。音声出力処理回路２３は、マイコン２２から出力された音声信号に基づきスピーカ３０へ駆動信号を出力する。音声入力処理回路２４は、マイク３１で検出したアナログの音声信号をデジタル信号に変換してマイコン２２へ出力する。表示出力処理回路２５は、マイコン２２から出力された画像信号に基づき表示器３２へ駆動信号を出力する。外部メモリ２６は、複数種類の音声信号および画像信号を記憶している。
【００１８】
携帯端末１０が通信端末３から文章データを含むメールを受信すると、その文章データ（着信メッセージ）をＥＣＵ２０へ送信する。ＥＣＵ２０は、着信メッセージを音声信号に変換してスピーカ３０へ出力する。つまり、スピーカ３０は、着信メッセージを読上げる音声を出力する読上げ装置を提供し、ＥＣＵ２０は、読上げ装置の作動状態を制御する読上げ制御装置を提供することとなる。そして、運転者はハンズフリーで着信メッセージの内容を把握できる。なお、読上げ装置により音声出力される内容の文章は、表示器３２にも表示される。
【００１９】
ＥＣＵ２０は、着座センサ３３の検出結果に基づき、車両乗員が運転者だけなのか、運転者以外の同乗者が存在するのか否かを判定する。ＥＣＵ２０は、このような同乗者有無の判定結果、携帯端末１０から取得した着信メッセージ、他のＥＣＵ３４から取得した車両情報、マイク３１で検出した音声等の情報に基づき、読上げ装置としてのスピーカ３０の作動を制御する。以下、この制御の内容について詳述する。
【００２０】
マイコン２２は、内部メモリ２２ｍに予め記憶されているプログラムにしたがって各種処理を実行することで、以下に説明する許可手段２２ａ、継続中断手段２２ｂ、強制中断手段２２ｃ、自動返信手段２２ｄ、および読上げ順決定手段２２ｅを提供する。
【００２１】
許可手段２２ａは、以下に説明する条件（１）〜（４）の全てを満たしていることを条件に、読上げ装置による音声出力の開始を許可する。条件（１）は、運転者にとっての運転負荷が所定未満である低負荷状態であることである。運転負荷とは、運転者が車両１を運転操作する時に運転者が担う負荷である。例えば、ＥＴＣゲート通過時や、カーブ走行時、分岐路運転時、車線変更時、交差点進入時、交差点走行時には、運転者にとっての運転負荷が高い状態であると言える。そして、運転負荷が高い時には、運転に対する高い集中力が運転者に要求される。
【００２２】
条件（２）は、携帯端末１０が受信したメールの内容に、場所、時間または緊急性に関する内容が含まれていることである。条件（３）は、携帯端末１０が受信したメールの送信元（例えば通信端末３）が許可された送信元であることである。上記「許可された送信元」の具体例としては、携帯端末１０のアドレス帳に登録されている通信端末３や、該アドレス帳に登録されている通信端末３のうち、ユーザ等により許可登録された通信端末３が挙げられる。条件（４）は、運転者以外の同乗者が車両１の室内に存在していないことである。同乗者の有無は、着座センサ３３の検出結果に基づき判定される。
【００２３】
マイコン２２は、取得した車両情報に基づき運転負荷を数値化する演算を実行する。例えば、車両１の現在位置とＥＴＣゲートまでの距離が短いほど運転負荷数値は大きい値に演算される。また、カーブ走行時や分岐路運転時の車速が大きいほど運転負荷数値は大きい値に演算される。マイコン２２は、演算された運転負荷数値が第１閾値未満（所定未満）であれば低負荷状態であると判定し、第２閾値以上（所定度合い以上）であれば高負荷状態であると判定し、第１閾値以上かつ第２閾値未満であれば中負荷状態であると判定する。第２閾値は第１閾値よりも大きい。高負荷状態および中負荷状態を総称して非低負荷状態とも呼ぶ。
【００２４】
継続中断手段２２ｂは、読上げ装置による音声出力の最中に低負荷状態から中負荷状態に変化した場合に、中負荷状態に変化した時点で直ぐに音声出力を停止させずに、着信メッセージの最適箇所まで音声出力を継続させる。そして、最適箇所まで音声出力を実施した後に音声出力を停止させて、着信メッセージの読上げを中断（以下、継続中断と記載）する。上記最適箇所とは、着信メッセージの文章に含まれている句読点、絵文字および記号の箇所である。マイコン２２は、着信メッセージに係るテキストデータを解析して、上記最適箇所を判別する。
【００２５】
強制中断手段２２ｃは、読上げ装置による音声出力の最中に低負荷状態から高負荷状態に変化した場合に、高負荷状態に変化した時点で直ぐに音声出力を停止させて、着信メッセージの読上げを強制的に中断（以下、強制中断と記載）する。なお、継続中断または強制中断により読上げを中断している期間中は、読上げ内容を表示器３２へ表示させることも禁止する。つまり読上げとともに表示も中断させる。
【００２６】
自動返信手段２２ｄは、継続中断または強制中断が所定時間以上継続したことを条件として、着信メッセージの送信元、つまり図１の例では通信端末３へ、所定のメッセージを自動返信する。例えば「只今、車の運転中です」といったメッセージを自動返信する。このメッセージは、外部メモリ２６等の記憶手段に予め記憶された定形文章、またはユーザが予め記憶設定させておいた文章である。また、自動返信手段２２ｄは、着信メッセージの送信元が許可された送信元であることを条件として自動返信を行う。例えば、先述した条件（３）と同様にして、アドレス帳に登録されている通信端末３や、該アドレス帳に登録されている通信端末３のうち、ユーザ等により許可登録された通信端末３を「許可された送信元」とすればよい。つまり、家族や友人のメールアドレスを許可登録するように予め設定しておけばよい。
【００２７】
読上げ順決定手段２２ｅは、未読の着信メッセージが複数存在する場合に、読上げ装置により読上げる順番を決定する。具体的には、着信メッセージの本文の内容やタイトルの内容、これらの内容の文章の長さ、つまりテキストデータの大きさ、送信元、等に基づき読上げ順を決定する。例えば、着信メッセージの内容に基づき読上げ順を決定する場合には、場所、時間または緊急性に関する内容が着信メッセージに含まれているか否かを、テキストデータの解析により判定する。含まれていると判定された場合には、読上げる順番を先の方へ繰り上げる。例えば、着信メッセージの文章が長いほど、読上げる順番を先の方へ繰り上げる。例えば、着信メッセージの送信元が予め設定しておいたアドレスであれば、読上げる順番を先の方へ繰り上げる。
【００２８】
次に、読上げ装置による読上げの途中で非低負荷状態になったことに起因して、その読上げを一時中断する場合の例について説明する。
【００２９】
図２は、継続中断手段２２ｂによる継続中断の一態様を表したタイムチャートである。先ず、運転負荷が低負荷である時に携帯端末１０に新規メールが着信すると、新規メールの着信があった旨の音声信号をマイコン２２は出力する。これにより、例えば図２（ｂ）に示すように「メールを着信しました」といった案内の音声がスピーカ３０から出力される。その後、その新規メールを読上げるか否かの判断を仰ぐ音声信号をマイコン２２は出力する。これにより、例えば図２（ｃ）に示すように「読上げますか？」といった問合せの音声がスピーカ３０から出力される。
【００３０】
その後、ユーザ（車両乗員）による「はい」といった応答の如く（図２（ｄ）参照）、読み上げを希望する旨の応答の音声がマイク３１により検出されると、新規メールの内容を読上げる音声信号をマイコン２２は出力する。これにより、新規メールの内容の音声がスピーカ３０から出力される。つまり、新規メールの読上げが開始する。
【００３１】
図２（ａ）に示す例では、読上げ開始のｔ１時点の後、読上げ途中であるｔ２時点で、運転負荷が低負荷から中負荷に変化している。そのため、上記読上げが継続中断手段２２ｂにより中断される。但し、ｔ２時点で強制的に中断することはせず、最適箇所まで音声出力を継続させる。そして、最適箇所まで読上げたｔ３時点で読上げを中断（継続中断）させる。図２（ｅ）に示す例では、新規メールが４つの文（１）（２）（３）（４）からなる文章である場合において、最初の文（１）の読上げ途中のｔ２時点で中負荷に変化している。そして、文（１）を最後まで読上げるように文章の読上げを継続し、文（１）の読上げが完了したｔ３時点で文章全体の読上げを中断している。つまり、文章全体のうち、文（１）と文（２）の境目が最適箇所である。
【００３２】
その後、ｔ４時点で運転負荷が中負荷から低負荷に変化しており、このｔ４時点で文章の読上げを再開している。つまり、読上げが完了している文（１）の次の文（２）から読上げを開始する。その後、残りの文（３）（４）の読上げが完了して文章全体の読上げが完了したｔ５時点で、読上げ装置の作動を停止させる。
【００３３】
図３は、強制中断手段２２ｃによる強制中断の一態様を表したタイムチャートである。先ず、図２と同様にして、低負荷状態時に新規メールが着信すると案内および問合せの音声を出力する（図３（ｂ）（ｃ）参照）。その後、読み上げ希望の音声がマイク３１により検出されると、新規メールの読上げが開始する（図３（ｄ）（ｅ）参照）。
【００３４】
図３（ａ）に示す例では、読上げ開始のｔ１時点の後、読上げ途中であるｔ２時点で、運転負荷が低負荷から高負荷に変化している。そのため、上記読上げが強制中断手段２２ｃにより中断される。この中断では、文（１）の読上げ完了を待たずして、文（１）の読上げ途中で強制的に中断（強制中断）させる。
【００３５】
その後、運転負荷が高負荷から低負荷に変化したｔ４時点で、文章の読上げを再開している。この再開では、読上げ途中であった文（１）の中断箇所から読上げを開始するのではなく、その中断箇所よりも戻った箇所から開始する。図３の例では、文（１）の最初に戻って再開する。その後、残りの文（２）（３）（４）の読上げが完了して文章全体の読上げが完了したｔ６時点で、読上げ装置の作動を停止させる。
【００３６】
次に、マイコン２２による、読上げ装置の作動を制御する処理の手順について、図４および図５を用いて説明する。図４および図５のフローチャートは、ＥＣＵ２０が携帯端末１０と通信している期間中、マイコン２２により所定周期で繰返し実行される。
【００３７】
先ず、図４のステップＳ１０において、携帯端末１０が受信したメールのうち、未読メールが有るか否かを判定する。未読メールが有ると判定された場合には、次のステップＳ１１において、運転負荷が低負荷状態であるか否かを判定する。つまり、先述した運転負荷数値が第１閾値未満であれば低負荷状態であると判定する。低負荷状態であることは、先述した許可手段２２ａ（図１参照）による読上げ許可の条件（１）に該当する。
【００３８】
低負荷状態であると判定された場合にはステップＳ１２に進み、許可手段２２ａによる読上げ許可の他の条件（２）（３）（４）を満たしているか否かを判定する。これらの条件（２）〜（４）は先述した通りであり、メールの内容、送信元、同乗者の有無に基づき判定される。
【００３９】
これら他の条件（２）〜（４）も全て満たしていると判定された場合には、ステップＳ１３に進み、図２（ｂ）および図３（ｂ）にて例示した如く、未読メールが有る旨を案内する音声信号を出力する。続くステップＳ１４では、図２（ｃ）および図３（ｃ）にて例示した如く、未読メールを読み上げるか否かをユーザに問い合わせる音声信号を出力する。
【００４０】
続くステップＳ１５では、ステップＳ１４による問合せに対して、読上げを許可するユーザの許可音声がマイク３１に入力されたか否かを判定する。図２（ｄ）および図３（ｄ）にて例示した如く、許可音声が入力されたと判定された場合には、続くステップＳ１６において、読上げフラグをオンに設定する。
【００４１】
次に、図５のステップＳ２０では、読上げフラグがオンに設定されているか否かを判定する。読上げフラグがオンに設定されていると判定された場合、次のステップＳ２１において、読上げ対象である未読メールの読上げを開始するよう、読上げ装置の作動を制御する。つまり、未読メールの内容を表したテキストデータを音声信号に変換し、その音声信号の出力を開始する。
【００４２】
続くステップＳ２２では、ステップＳ２１で開始した読上げが完了したか否かを判定する。例えば、図２（ｅ）および図３（ｅ）に例示する文章の場合、最後の文（５）の読上げが完了したか否かを判定する。文章全体の読上げが完了したと判定された場合、次のステップＳ２３において、読上げフラグをオフに設定する。文章全体の読上げが完了していないと判定された場合、続くステップＳ２４において、運転負荷が低負荷状態から高負荷状態に変化したか否かを判定する。つまり、先述した運転負荷数値が第１閾値未満の状態から第２閾値以上の状態に変化したか否かを判定する。高負荷状態に変化したと判定された場合、続くステップＳ２５において、図３（ｅ）にて例示した如く、強制中断手段２２ｃによる読上げの強制中断を実行する。
【００４３】
一方、ステップＳ２４にて高負荷状態への変化が生じていないと判定された場合、続くステップＳ２６にて運転負荷が低負荷状態から中負荷状態に変化したか否かを判定する。つまり、先述した運転負荷数値が第１閾値以上かつ第２閾値未満の状態に変化したか否かを判定する。中負荷状態に変化したと判定された場合、続くステップＳ２７、Ｓ２８において、継続中断手段２２ｂによる読上げの継続中断を実行する。すなわち、先ずはステップＳ２７により最適箇所まで読上げが継続され、その後、ステップＳ２８において読上げを中断する。
【００４４】
なお、ステップＳ２４、Ｓ２６のいずれにおいても否定判定された場合、つまり低負荷状態が維持されている場合には、ステップＳ２２に戻って処理を繰り返す。したがって、読上げ開始から読上げ完了まで低負荷状態が継続された場合には、ステップＳ２５、Ｓ２８による読上げの中断が実行されることなく読上げが完了して、読上げフラグがオンからオフに切り替わる。
【００４５】
ステップＳ２５、Ｓ２８により読上げが中断された場合、続くステップＳ２９にて読上げを待機し、続くステップＳ３０にて運転負荷が低負荷状態に復帰したか否かを判定する。つまり、高負荷状態または中負荷状態から低負荷状態に変化したか否かを判定する。低負荷状態に復帰していないと判定された場合には、ステップＳ２９に戻って読上げ待機を継続させる。一方、低負荷状態に復帰したと判定された場合には、次のステップＳ３１に進み、中断している未読メールの読み上げを再開するか否かについて、ユーザに問い合わせる音声信号を出力する。続くステップＳ３２では、ステップＳ３１による問合せに対して、読上げ再開を許可するユーザの許可音声がマイク３１に入力されたか否かを判定する。
【００４６】
ステップＳ３１による問合せから所定時間以内に許可音声が入力されない場合には、ステップＳ２３に進み、読上げフラグをオフに設定する。その結果、読上げは再開されずに、該当する未読メールの読上げを中断したまま終了させることとなる。一方、ステップＳ３２にて許可音声の入力があると判定された場合には、再開させようとしている読上げが、強制中断からの再開であるか否かを判定する。換言すれば、現在の中断が強制中断および継続中断のいずれであるかを判定する。
【００４７】
強制中断からの再開であると判定された場合には、ステップＳ３４に進み、中断箇所より戻った箇所から読上げを再開する。この再開箇所は、句読点や絵文字、記号等の箇所に設定されている。一方、強制中断からの再開ではないと判定された場合、つまり継続中断からの再開であると判定された場合には、中断箇所（つまり最適箇所）から読上げを再開する。
【００４８】
そして、ステップＳ３４、Ｓ３５にて読上げを再開した後、ステップＳ２２に戻って処理を繰り返す。したがって、読上げ再開から読上げ完了まで低負荷状態が継続された場合には、読上げフラグがオンからオフに切り替わる。また、再開後に再び非低負荷状態に変化した場合には、読上げの中断が再度実行されることとなる。
【００４９】
以上により、本実施形態によれば、低負荷状態であることを条件に未読メールの読上げ開始を許可する許可手段２２ａを備える。そのため、非低負荷状態時に読上げることが回避されるので、運転に対する高い集中力が要求される時に、読上げにより集中力を低下させてしまうおそれを低減できる。或いは、運転に集中していることに起因して読上げられた内容を把握できなくなるおそれを低減できる。
【００５０】
さらに本実施形態では、読上げの最中に低負荷状態から非低負荷状態に変化した場合に、未読メールの最適箇所まで読上げを継続させ、その後に読上げを中断する継続中断手段２２ｂを備える。そのため、句読点や絵文字、記号等の最適箇所まで読上げてから中断させるようにできるので、複数の文（１）（２）（３）（４）からメール文章が構成されている場合において、読上げ途中の文（１）については最後まで読上げるようにできる。よって、読上げ途中の文（１）については十分に内容を把握できた後に中断されるので、文の途中で強制的に中断させることによる利便性低下を抑制できる。
【００５１】
さらに本実施形態では、継続中断手段２２ｂに加えて強制中断手段２２ｃを備える。そのため、低負荷状態から中負荷状態に変化した場合には継続中断手段２２ｂによる継続と中断を実行する一方で、高負荷状態に変化した場合には、上記継続を実施することなく直ぐに強制中断する。
【００５２】
そのため、読上げ途中で高負荷状態に変化した場合には、最適箇所まで読上げを継続させることよりも直ぐに中断させることが優先されるので、運転に対する集中力が読上げにより低下するおそれを一刻も早く低減できる。それでいて、読上げ途中で中負荷状態に変化した場合には、直ぐに中断させることよりも最適箇所まで読上げを継続させることが優先されるので、ハンズフリー読上げによる利便性が損なわれることを抑制できる。
【００５３】
さらに本実施形態では、強制中断手段２２ｃにより強制中断を実施した後、非低負荷状態から低負荷状態に変化して中断していた読上げを再開する場合には、着信メッセージのうち中断箇所よりも戻った箇所から再開する。
【００５４】
さて、強制中断により中断された文（１）は、最適箇所まで読上げられていないので、ユーザはその文の内容を十分に理解できていない蓋然性が高い。そして、本実施形態に反して読上げ再開を中断箇所から実施しても、その文（１）の中断箇所の前後の内容を繋げて理解することは困難である。よって、文（１）の内容を十分に理解できない。これに対し本実施形態では、強制中断により中断された文（１）については、中断箇所よりも戻った箇所から再開して読み上げるので、文（１）の内容を十分に理解できないままになることを抑制できる。
【００５５】
さらに本実施形態では、継続中断または強制中断の状態が所定時間以上継続したことを条件として、着信メッセージに対して所定のメッセージを自動返信する自動返信手段２２ｄを備える。そのため、メールの送信元である通信端末３のユーザに対して、返信が無いことによる不安感を与えてしまうことを回避できる。
【００５６】
さらに本実施形態では、自動返信手段２２ｄは、着信メッセージの送信元が許可された送信元であることを条件として自動返信を行う。そのため、迷惑メール等の許可していない送信元にまで自動返信してしまうことを回避できる。
【００５７】
さらに本実施形態では、許可手段２２ａによる読上げ許可の条件には、着信メッセージが場所、時間または緊急性に関する内容である、といった条件（２）や、着信メッセージの送信元が許可された送信元である、といった条件（３）も含まれている。そのため、迷惑メール等の重要度の低いメールまで読上げられてしまうことの煩わしさを回避できる。
【００５８】
さらに本実施形態では、許可手段２２ａによる読上げ許可の条件には、運転者以外の同乗者が車両１に存在していない、といった条件（４）も含まれている。これによれば、プライバシー性の高い内容のメール等、秘密にしたい内容のメールが同乗者に聞かれてしまうことを回避できる。
【００５９】
さらに本実施形態では、未読の着信メッセージが複数存在する場合に、着信メッセージの内容または送信元に基づき読上げ装置による読上げの順番を決定する読上げ順決定手段２２ｅを備える。これによれば、優先度の高い内容または送信元の着信メッセージから順番に読上げられるので、ハンズフリーでのメール読上げによる利便性を向上できる。
【００６０】
（第２実施形態）
図６に示すように、携帯端末１０が車室内に持ち込まれた車両１には、電子制御装置（ＥＣＵ２００）、スピーカ３０、マイク３１、表示器３２、着座センサ３３、および他の電子制御装置（他のＥＣＵ３４）が搭載されている。
【００６１】
ＥＣＵ２００は、通信処理回路２１、マイクロコンピュータ（マイコン２２０）、音声出力処理回路２３、音声入力処理回路２４、表示出力処理回路２５および外部メモリ２６０等を有する。通信処理回路２１は、車室内に持ち込まれた携帯端末１０と無線通信するインターフェイス回路である。音声出力処理回路２３は、マイコン２２０から出力された音声信号に基づきスピーカ３０へ駆動信号を出力する。音声入力処理回路２４は、マイク３１で検出したアナログの音声信号をデジタル信号に変換してマイコン２２０へ出力する。表示出力処理回路２５は、マイコン２２０から出力された画像信号に基づき表示器３２へ駆動信号を出力する。外部メモリ２６０は、複数種類の音声信号および画像信号を記憶している。
【００６２】
携帯端末１０は、インターネット回線または電話回線を通じて通信端末３と通話する機能を有する。ＥＣＵ２００は、スピーカ３０およびマイク３１を用いて上記通話を可能にする機能を有する。つまり、スピーカ３０およびマイク３１は、車両の運転者によるハンズフリー通話を可能にしたハンズフリー通話装置を提供し、ＥＣＵ２００は、ハンズフリー通話装置の作動状態を制御する通話制御装置を提供することとなる。なお、表示器３２には、通話相手の名前や静止画像、リアルタイム動画等の通話情報が表示される。
【００６３】
ＥＣＵ２００は、着座センサ３３の検出結果に基づき、車両乗員が運転者だけなのか、運転者以外の同乗者が存在するのか否かを判定する。ＥＣＵ２００は、このような同乗者有無の判定結果、携帯端末１０による通話の音声信号、通話情報、他のＥＣＵ３４から取得した車両情報、マイク３１で検出した音声等の情報に基づき、ハンズフリー通話装置の作動状態を制御する。以下、この制御の内容について詳述する。
【００６４】
マイコン２２は、内部メモリ２２０ｍに予め記憶されているプログラムにしたがって各種処理を実行することで、以下に説明する許可手段２２０ａ、通話保留手段２２０ｂ、注意喚起手段２２０ｃ、および保留時自動返信手段２２０ｄを提供する。
【００６５】
許可手段２２０ａは、以下に説明する条件（１）〜（３）の全てを満たしていることを条件に、ハンズフリー通話装置による音声出力の開始を許可する。条件（１）は、運転者にとっての運転負荷が所定未満である低負荷状態であることである。運転負荷とは、運転者が車両１を運転操作する時に運転者が担う負荷である。例えば、ＥＴＣゲート通過時や、カーブ走行時、分岐路運転時には、運転者にとっての運転負荷が高い状態であると言える。そして、運転負荷が高い時には、運転に対する高い集中力が運転者に要求される。
【００６６】
条件（２）は、携帯端末１０による通話相手（例えば通信端末３）が許可された端末であることである。条件（３）は、運転者以外の同乗者が車両１の室内に存在していないことである。同乗者の有無は、着座センサ３３の検出結果に基づき判定される。
【００６７】
マイコン２２０は、取得した車両情報に基づき運転負荷を数値化する演算を実行する。例えば、車両１の現在位置とＥＴＣゲートまでの距離が短いほど運転負荷数値は大きい値に演算される。また、カーブ走行時や分岐路運転時の車速が大きいほど運転負荷数値は大きい値に演算される。マイコン２２は、演算された運転負荷数値が第１閾値未満（所定未満）であれば低負荷状態であると判定し、第２閾値以上（所定度合い以上）であれば高負荷状態であると判定し、第１閾値以上かつ第２閾値未満であれば中負荷状態であると判定する。第２閾値は第１閾値よりも大きい。高負荷状態および中負荷状態を総称して非低負荷状態とも呼ぶ。
【００６８】
通話保留手段２２０ｂは、ハンズフリー通話装置による通話の最中に低負荷状態から高負荷状態に変化した場合に、通話を保留状態にする。保留状態とは、携帯端末１０および通信端末３が通信を継続した状態ではあるが、通話はできない状態である。具体的には、保留状態では、通信端末３から携帯端末１０へ送信された音声信号をスピーカ３０へ出力することを禁止して、通話相手の音声を聞くことができなくする。また、マイク３１で検出された音声の信号を携帯端末１０から通信端末３へ送信することを禁止する。
【００６９】
但し、通話の最中に中負荷状態に変化した場合には、通話保留手段２２０ｂによる通話保留を実施することなく通話を継続可能とするように、ＥＣＵ２００はハンズフリー通話装置を制御する。また、通話保留手段２２０ｂにより保留状態にする場合には、保留状態であることを通話相手に自動で通知する。
【００７０】
注意喚起手段２２０ｃは、通話の最中に低負荷状態から中負荷状態に変化した場合に、中負荷状態で通話を継続していることに対して、車両運転者に注意喚起する。注意喚起手段の具体例としては、注意喚起内容の音声をスピーカ３０から出力させたり、警告音を鳴らしたり、ステアリングホイールや座席を振動させたりすることが挙げられる。
【００７１】
保留時自動返信手段２２０ｄは、通話保留手段２２０ｂによる保留状態が所定時間以上継続したことを条件として、所定音の信号を通信端末３へ自動返信する。例えば保留状態を想起させるメロディを所定音として自動返信したり、「只今、車の運転中です」といったメッセージを所定音として自動返信したりする。該所定音は、外部メモリ２６０等の記憶手段に予め記憶された定形音、またはユーザが予め記憶設定させておいた音である。また、保留時自動返信手段２２０ｄは、通話の相手端末（通信端末３）が許可された端末であることを条件として自動返信を行う。例えば、家族や友人の端末を許可するように予め設定しておけばよい。
【００７２】
次に、ハンズフリー通話装置による通話の途中で非低負荷状態になった場合の、通話制御装置による制御の例について説明する。
【００７３】
図７は、注意喚起手段２２０ｃによる注意喚起の一態様を表したタイムチャートである。先ず、運転負荷が低負荷状態であるｔ１時点で通話を開始している。この通話開始は、通信端末３からの通話要求への応答によるものであっても良いし、携帯端末１０からの通話要求によるものであっても良い。
【００７４】
また、通信端末３からの通話要求があった場合には、その旨を運転者へ報知する音声を自動で出力する。例えば、「通話の着信があります」等の音声をスピーカ３０から出力する。そして、この報知音声に対して運転者による「はい」等の許可音声をマイク３１が検出した場合に通話を開始させる。
【００７５】
図７（ａ）に示す例では、通話開始のｔ１時点の後、通話途中であるｔ２時点で、運転負荷が低負荷から中負荷に変化している。そのため、通話保留手段２２０ｂにより通話を保留状態にすることはないものの、注意喚起手段２２０ｃによる運転者への注意喚起がｔ２時点で実行される。
【００７６】
その後、ｔ３時点で運転負荷が中負荷から低負荷に変化しており、その後のｔ４時点で、通信端末３または携帯端末１０のユーザによる操作により通話が終了し、ハンズフリー通話装置を停止させている。
【００７７】
図８は、通話保留手段２２０ｂによる通話保留の一態様を表したタイムチャートである。先ず、図７と同様にして、低負荷状態であるｔ１時点で通話を開始している。この通話開始は、通信端末３からの通話要求への応答によるものであっても良いし、携帯端末１０からの通話要求によるものであっても良い。また、通信端末３からの通話要求があった場合には、図７と同様にして、その旨を運転者へ報知する音声を自動で出力し、許可音声をマイク３１が検出した場合に通話を開始させる。
【００７８】
図８（ａ）に示す例では、通話開始のｔ１時点の後、通話途中であるｔ２時点で、運転負荷が低負荷から高負荷に変化している。そのため、通話保留手段２２０ｂにより通話を保留状態にする。この時、運転負荷が高負荷状態であることを理由に保留状態に切り替えた旨を、自動音声で運転者へ報知してもよい。
【００７９】
その後、ｔ３時点で運転負荷が高負荷から低負荷に変化しており、そのｔ３時点で保留状態を解除して通話可能な状態に切り替える。その後のｔ４時点で、通信端末３または携帯端末１０のユーザによる操作により通話が終了し、ハンズフリー通話装置を停止させている。
【００８０】
次に、マイコン２２０による、ハンズフリー通話装置の作動を制御する処理の手順について、図９および図１０を用いて説明する。図９および図１０のフローチャートは、ＥＣＵ２００が携帯端末１０と通信している期間中、マイコン２２０により所定周期で繰返し実行される。
【００８１】
先ず、図９のステップＳ４０において、通信端末３または携帯端末１０からの通話要求が有るか否かを判定する。通話要求が有ると判定された場合には、次のステップＳ４１において、運転負荷が低負荷状態であるか否かを判定する。つまり、先述した運転負荷数値が第１閾値未満であれば低負荷状態であると判定する。低負荷状態であることは、先述した許可手段２２０ａ（図６参照）によるハンズフリー通話の許可の条件（１）に該当する。
【００８２】
低負荷状態であると判定された場合にはステップＳ４２に進み、許可手段２２０ａによるハンズフリー通話許可の他の条件（２）（３）を満たしているか否かを判定する。これらの条件（２）（３）は先述した通りであり、通話相手が許可端末であるか否か、および同乗者の有無に基づき判定される。これら他の条件（２）（３）も全て満たしていると判定された場合には、続くステップＳ４３において、通話フラグをオンに設定する。
【００８３】
次に、図１０のステップＳ５０では、通話フラグがオンに設定されているか否かを判定する。通話フラグがオンに設定されていると判定された場合、次のステップＳ５１において、ハンズフリー通話を可能にするよう、ハンズフリー通話装置の作動を制御する。
【００８４】
続くステップＳ５２では、ハンズフリー通話が終了したか否かを判定する。例えば、携帯端末１０と通信端末３との通信がユーザ操作等により遮断された場合に、ハンズフリー通話が終了したと判定する。通話が終了したと判定された場合、次のステップＳ５３において、通話フラグをオフに設定する。通話が終了していないと判定された場合、続くステップＳ５４において、運転負荷が低負荷状態から高負荷状態に変化したか否かを判定する。つまり、先述した運転負荷数値が第１閾値未満の状態から第２閾値以上の状態に変化したか否かを判定する。高負荷状態に変化したと判定された場合、続くステップＳ５５において、図８（ｂ）にて例示した如く、通話保留手段２２０ｂによる通話状態から通話保留状態への強制的な切り替えを実行する。
【００８５】
続くステップＳ５６では、運転負荷が高負荷状態から低負荷状態に復帰したか否かを判定する。低負荷状態に復帰していないと判定された場合には、ステップＳ５５に戻って保留状態を継続させる。低負荷状態に復帰したと判定された場合には、次のステップＳ５７に進み、保留状態を解除して、ハンズフリー通話が可能な状態に復帰させる。
【００８６】
一方、ステップＳ５４にて高負荷状態への変化が生じていないと判定された場合、続くステップＳ５８にて運転負荷が低負荷状態から中負荷状態に変化したか否かを判定する。つまり、先述した運転負荷数値が第１閾値以上かつ第２閾値未満の状態に変化したか否かを判定する。中負荷状態に変化したと判定された場合、続くステップＳ５９において、注意喚起手段２２０ｃによる注意喚起を実行する。
【００８７】
なお、ステップＳ５４、Ｓ５８のいずれにおいても否定判定された場合、つまり低負荷状態が維持されている場合には、ステップＳ５２に戻って処理を繰り返す。したがって、ハンズフリー通話の開始から終了まで低負荷状態が継続された場合には、ステップＳ５５による通話保留や、ステップＳ５９による注意喚起が実行されることなく通話が終了して、通話フラグがオンからオフに切り替わる。そして、ステップＳ５７による保留解除またはステップＳ５９による注意喚起を実行した後では、ステップＳ５２に戻って処理を繰り返す。
【００８８】
以上により、本実施形態によれば、低負荷状態であることを条件にハンズフリー通話の開始を許可する許可手段２２０ａを備える。そのため、非低負荷状態時にハンズフリー通話を開始することが回避されるので、運転に対する高い集中力が要求される時に、ハンズフリー通話により集中力を低下させてしまうおそれを低減できる。
【００８９】
さらに本実施形態では、ハンズフリー通話の最中に低負荷状態から中負荷状態に変化した場合に、運転負荷が低くない状態での通話を実施していることに対する注意喚起をする注意喚起手段２２０ｃを備える。そのため、高負荷状態でのハンズフリー通話が禁止されるので、高負荷状態での運転集中力低下を抑制できる。
【００９０】
さらに本実施形態では、ハンズフリー通話の最中に中負荷状態に変化した場合に、通話を保留にすることなく継続可能にしつつ注意喚起する注意喚起手段２２０ｃを備える。そのため、中負荷状態に変化した場合には、通話を継続可能にしつつ注意喚起するので、切りの良いタイミングで通話を中断したり、直ぐに通話を中断したり、そのまま通話を継続したりする等、通話状態を運転者の判断に委ねることができる。よって、中負荷状態では、通話途中で強制的に保留することによる利便性低下を抑制できる。
【００９１】
さらに本実施形態では、許可手段２２０ａによる通話許可の条件には、通話の相手端末が許可された端末であるといった条件（２）も含まれている。そのため、迷惑電話等の重要度の低い通話にまで、ハンズフリー通話装置により通話可能な状態になることの煩わしさを回避できる。
【００９２】
さらに本実施形態では、許可手段２２０ａによる許可の条件には、運転者以外の同乗者が車両１に存在していないといった条件（３）も含まれている。これによれば、プライバシー性の高い通話内容等、秘密にしたい内容の通話が同乗者に聞かれてしまうことを回避できる。
【００９３】
さらに本実施形態では、通話保留手段２２０ｂによる保留状態が所定時間以上継続したことを条件として、所定音を自動返信する保留時自動返信手段２２０ｄを備える。そのため、通話相手である通信端末３のユーザに対して、自動で保留状態に切り替わったことによる不安感を与えてしまうことを回避できる。
【００９４】
さらに本実施形態では、保留時自動返信手段２２０ｄは、通話の相手端末が許可された端末であることを条件として自動返信を行う。そのため、迷惑電話等の許可していない相手端末にまで自動返信してしまうことを回避できる。
【００９５】
（他の実施形態）
以上、発明の好ましい実施形態について説明したが、発明は上述した実施形態に何ら制限されることなく、以下に例示するように種々変形して実施することが可能である。各実施形態で具体的に組合せが可能であることを明示している部分同士の組合せばかりではなく、特に組合せに支障が生じなければ、明示してなくとも実施形態同士を部分的に組み合せることも可能である。
【００９６】
ＥＣＵ２０による読上げ制御装置の機能と、ＥＣＵ２００による通話制御装置の機能の両方を併せ持つ制御装置、つまり上記第１および第２実施形態を組み合わせた制御装置を提供することも可能である。
【００９７】
上記第１実施形態に係る読上げ制御装置では、受信したメールに対するハンズフリー読上げを制御しているが、この制御に加えて、ハンズフリーでメールを送信するように携帯端末１０を制御してもよい。この場合、低負荷状態であることを条件としてメール送信を許可することが望ましい。
【００９８】
上記第１実施形態では、非低負荷状態から低負荷状態に戻って読上げ中断を解除するにあたり、中断箇所よりも戻った箇所から読上げを再開している。この場合において、読上げ対象となっている着信メッセージが長文であるほど、上記再開の際に戻る量を多くしてもよい。
【００９９】
上記第１実施形態では、車両の同乗者が居る場合には、読上げを禁止するとともに表示器３２への読上げ内容の表示も禁止しているが、表示器３２への読上げ内容の表示は許可するようにしてもよい。
【０１００】
図１および図６に示す実施形態では、読上げ制御装置または通話制御装置を、ＥＣＵ２０、２００が提供しているが、本発明は制御装置をＥＣＵのみから提供することに限定されるものではなく、携帯端末１０およびＥＣＵが協同して制御装置を提供してもよい。例えば、上記第１実施形態では、携帯端末１０が通信端末３から受信した着信メッセージを、ＥＣＵ２０が音声信号に変換しているが、携帯端末１０が音声信号に変換してもよい。
【０１０１】
上記第１実施形態に係る強制中断手段２２ｃを廃止してもよい。つまり、音声出力の最中に低負荷状態から高負荷状態に変化した場合にも、中負荷状態に変化した場合と同様に継続中断手段２２ｂによる継続と中断を実施してもよい。
【０１０２】
上記第１実施形態に係る許可手段２２ａでは、条件（１）〜（４）の全てを満たしていることを条件に、読上げ開始を許可しているが、少なくとも条件（１）を満たす場合に読上げ開始を許可してもよい。同様に、上記第２実施形態に係る許可手段２２０ａでは、条件（１）〜（３）の全てを満たしていることを条件に、ハンズフリー通話開始を許可しているが、少なくとも条件（１）を満たす場合に通話開始を許可してもよい。
【０１０３】
上記第１実施形態では、強制中断の後に読上げを再開する場合には、着信メッセージのうち中断箇所よりも戻った箇所から再開させる一方で、継続中断の後に再開する場合には、中断箇所から再開させている。これに対し、継続中断の後に再開する場合にも、中断箇所（つまり最適箇所）よりも戻った箇所から再開させてもよい。
【０１０４】
本発明に係る着信メッセージは、メールの文章データに限定されるものではなく、チャット等のメール以外の文章データ、例えば、ソーシャルネットワーキングサービスによるメールの文章データであってもよい。また、インターネット回線により送受信される文章データに限定されるものではなく、電話回線により送受信される文章データであってもよい。
【０１０５】
上記第２実施形態では、通信端末３からの通話要求があった場合には、その旨を運転者へ報知する音声を自動で出力し、この報知音声に対して運転者による許可音声をマイク３１が検出した場合に通話を開始させる。この場合において、上記通話要求が非低負荷状態時に為されたものであれば、上記報知音声の出力を禁止して、「運転中で通話できません」等の応答音声を相手端末（通信端末３）に自動返信してもよい。或いは、上記報知音声の出力した上で通話を禁止させてもよい。また、上記報知音声の出力を、中負荷状態時には許可して高負荷状態時には禁止してもよい。
【０１０６】
上記第１実施形態では、読上げた着信メッセージを表示器３２にも表示させているが、この表示は常時表示させることに限らず、所定の条件を満たした場合に表示してもよい。例えば、表示器３２の表示可能領域サイズが所定サイズ以上である場合や、停車中である場合に表示する。
【０１０７】
上記各実施形態では、運転負荷を低負荷、中負荷、高負荷の３段階に分けて、読上げ装置およびハンズフリー通話装置の作動を制御しているが、さらに多くの段階に分けて、各段階毎に異なる制御を実施してもよい。
【符号の説明】
【０１０８】
２０…読上げ制御装置、２２ａ…許可手段、２２ｂ…継続中断手段、３０…スピーカ（読上げ装置）（ハンズフリー通話装置）、３１…マイク（ハンズフリー通話装置）、２００…通話制御装置、２２０ａ…許可手段、２２０ｂ…通話保留手段、２２０ｃ…注意喚起手段。
【図１】
2018163351.tif 000003
【図２】
2018163351.tif 000004
【図３】
2018163351.tif 000005
【図４】
2018163351.tif 000006
【図５】
2018163351.tif 000007
【図６】
2018163351.tif 000008
【図７】
2018163351.tif 000009
【図８】
2018163351.tif 000010
【図９】
2018163351.tif 000011
【図１０】
2018163351.tif 000012
【手続補正書】
【提出日】平成30年6月6日(2018.6.6)
【手続補正１】
【補正対象書類名】特許請求の範囲
【補正対象項目名】全文
【補正方法】変更
【補正の内容】
【特許請求の範囲】
【請求項１】
車両の運転者によるハンズフリー通話を可能にしたハンズフリー通話装置の、作動状態を制御する通話制御装置（２００）において、  前記運転者にとっての運転負荷が所定未満である低負荷状態であることを条件に、前記ハンズフリー通話装置による通話を許可する許可手段（２２０ａ）と、  前記運転負荷が所定以上である非低負荷状態のうち、前記運転負荷が所定度合い以上の状態を高負荷状態、所定度合い未満の状態を中負荷状態と呼ぶ場合において、前記通話の最中に前記低負荷状態から前記高負荷状態に変化した場合に、前記通話を保留状態にする通話保留手段（２２０ｂ）と、  前記通話の最中に前記低負荷状態から前記中負荷状態に変化した場合に、前記通話を保留にすることなく継続可能にしつつ、前記中負荷状態で前記通話を実施することに対して注意喚起する注意喚起手段（２２０ｃ）と、を備えることを特徴とする通話制御装置。
【請求項２】
前記許可手段による許可の条件には、前記通話の相手端末が許可された端末である、といった条件も含まれていることを特徴とする請求項１に記載の通話制御装置。
【請求項３】
前記許可手段による前記許可の条件には、前記運転者以外の同乗者が前記車両に存在していない、といった条件も含まれていることを特徴とする請求項１または２に記載の通話制御装置。
【請求項４】
前記通話保留手段による前記保留状態が所定時間以上継続したことを条件として、所定音を自動返信する保留時自動返信手段（２２０ｄ）を備えることを特徴とする請求項１〜３のいずれか１つに記載の通話制御装置。
【請求項５】
前記保留時自動返信手段は、前記通話の相手端末が許可された端末であることを条件として前記自動返信を行うことを特徴とする請求項４に記載の通話制御装置。
【手続補正３】
【補正対象書類名】明細書
【補正対象項目名】０００１
【補正方法】変更
【補正の内容】
【０００１】  本発明は、ハンズフリー通話装置を制御する通話制御装置に関する。
【手続補正４】
【補正対象書類名】明細書
【補正対象項目名】０００５
【補正方法】変更
【補正の内容】
【０００５】  本発明は、上記問題を鑑みてなされたもので、その目的は、運転負荷に応じたハンズフリー通話を行うように制御する通話制御装置を提供することにある。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】